(57)【要約】  少なくともトップシート層およびバックシート層を含み、各層が、第１および第２の表面を有し、層の少なくとも１つが、第１の表面上に印刷された皮膚有益剤と第２の表面上に印刷されたインク組成物とを含んでなる組成物を有する吸収性物品であって、第１および第２の表面上の組成物をそれぞれ交換することができる、吸収性物品。
2021527494.tif 000002
【特許請求の範囲】
【請求項１】
少なくともトップシート層およびバックシート層を含み、各層が、第１および第２の表面を有し、前記トップシート層およびバックシート層の少なくとも１つが、第１の表面上に印刷された皮膚有益剤と第２の表面上に印刷されたインク組成物とを含んでなる組成物を有する吸収性物品であって、前記第１の表面上および前記第２の表面上の組成物がそれぞれ交換され得ることを特徴とする、吸収性物品。
【請求項２】
前記皮膚有益剤がマイクロカプセルに封入されていることを特徴とする、請求項１に記載の吸収性物品。
【請求項３】
前記第１の表面が当該吸収性物品の皮膚対向面であり、前記第２の表面が衣服対向面であることを特徴とする、請求項１または２に記載の吸収性物品。
【請求項４】
前記層が皮膚有益剤のゾーンを含むことを特徴とする、請求項１から３のいずれか一項に記載の吸収性物品。
【請求項５】
前記層がインク組成物のゾーンを含むことを特徴とする、請求項１から４のいずれか一項に記載の吸収性物品。
【請求項６】
前記皮膚有益剤のゾーンが、当該吸収性物品の少なくとも横方向に非線形の境界を有することを特徴とする、請求項５に記載の吸収性物品。
【請求項７】
前記ゾーンの境界が、前記層の横方向縁部から少なくとも１ｍｍで終了していることを特徴とする、請求項４から６のいずれか一項に記載の吸収性物品。
【請求項８】
前記ゾーンの境界が、前記層の長手方向縁部から少なくとも１ｍｍで終了していることを特徴とする、請求項４から７のいずれか一項に記載の吸収性物品。
【請求項９】
前記ゾーンが、少なくとも１ｍｍ２の領域を囲む境界を有することを特徴とする、請求項４から８のいずれか一項に記載の吸収性物品。
【請求項１０】
前記インク組成物が、前記層の表面にアートワークを形成していることを特徴とする、請求項１から９のいずれか一項に記載の吸収性物品。
【請求項１１】
前記皮膚有益剤および前記インク組成物が、異なるパターンで印刷されていることを特徴とする、請求項１から１０のいずれか一項に記載の吸収性物品。
【請求項１２】
前記皮膚有益剤および前記インク組成物が、同じパターンで印刷されていることを特徴とする、請求項１から１１のいずれか一項に記載の吸収性物品。
【請求項１３】
前記第１の表面への前記皮膚有益剤の適用パターンと、前記第２の表面への前記インク組成物の適用パターンとは、互いに対して同期していないことを特徴とする、請求項１から１２のいずれか一項に記載の吸収性物品。
【請求項１４】
前記第１の表面への前記皮膚有益剤の適用パターンと、前記第２の表面への前記インク組成物の適用パターンとは、互いに対して同期していることを特徴とする、請求項１から１３のいずれか一項に記載の吸収性物品。
【請求項１５】
吸収性物品のための材料層であって、第１および第２の表面を有する材料層を印刷するための方法であって、
ａ）輸送手段上で材料層を運搬するステップと、
ｂ）前記材料層の第１の表面に、フレキソプリンタによって、皮膚有益剤を含む組成物を印刷するステップと、
ｃ）前記材料層の第２の表面に、フレキソプリンタによって、インク組成物を印刷するステップと、
を含んでなり、
ステップｂ）およびステップｃ）における組成物の適用をそれぞれ交換することができることを特徴とする、方法。
【請求項１６】
前記材料層が、中央圧胴に配置された第１および第２のフレキソプリンタ印刷ステーションによって印刷されることを特徴とする、請求項１５に記載の方法。
【請求項１７】
前記材料層をウェブターニングモジュールへ運搬するステップであって、材料が逆さまにされる、ステップが、ステップｃ）に先行していることを特徴とする、請求項１５または１６に記載の方法。
【請求項１８】
乾燥ステップがステップｂ）に続いていることを特徴とする、請求項１５から１７のいずれか一項に記載の方法。
【請求項１９】
皮膚有益剤のゾーンが層に印刷されることを特徴とする、請求項１５から１８のいずれか一項に記載の方法。
【請求項２０】
インク組成物のゾーンが層に印刷されることを特徴とする、請求項１５から１９のいずれか一項に記載の方法。
【請求項２１】
前記ゾーンが、前記吸収性物品の少なくとも横方向に非線形の境界を有することを特徴とする、請求項１９または２０に記載の方法。
【請求項２２】
前記インク組成物によってアートワークが印刷されることを特徴とする、請求項１５から２１のいずれか一項に記載の方法。
【請求項２３】
前記皮膚有益剤がマイクロカプセルに封入されていることを特徴とする、請求項１５から２２のいずれか一項に記載の方法。
【請求項２４】
前記皮膚有益剤および前記インク組成物が異なるパターンで印刷されることを特徴とする、請求項１５から２３のいずれか一項に記載の方法。
【請求項２５】
前記皮膚有益剤および前記インク組成物が同じパターンで印刷されることを特徴とする、請求項１５から２４のいずれか一項に記載の方法。
【請求項２６】
前記第１の表面への前記皮膚有益剤の適用パターンと、前記第２の表面への前記インク組成物の適用パターンとは、互いに対して同期していないことを特徴とする、請求項１５から２５のいずれか一項に記載の方法。
【請求項２７】
前記第１の表面への前記皮膚有益剤の適用パターンと、前記第２の表面への前記インク組成物の適用パターンとは、互いに対して同期していることを特徴とする、請求項１５から２６のいずれか一項に記載の方法。
【請求項２８】
前記材料層が、トップシート材料層、またはトップシートとコア層との間に配置された捕捉材料層であることを特徴とする、請求項１５から２７のいずれか一項に記載の方法。
【発明の詳細な説明】
【技術分野】
【０００１】
本開示は、皮膚有益剤を含むサニタリーナプキン、パンティライナー、失禁用パッド、失禁用おむつ、ベルト付きおむつ、または乳児用おむつのような吸収性物品、およびこれを製造するための方法に関する。
【背景技術】
【０００２】
個人衛生用の吸収性物品は、身体滲出物を吸収および収容するように設計されている。吸収性物品は通常、ユーザの皮膚に面するトップシート層、ユーザの衣服に面するバックシート層、および任意選択でこれらの層間に配置される吸収性コアを含む。
【０００３】
吸収性物品は、ユーザにいくつかの利点を提供する添加剤を含有することができる。米国特許出願公開第２０１５／０２８２９９９号明細書（特許文献１）は、トップシートの表面にスキンケア組成物の形態の化学処理を施した吸収性物品を開示している。
【先行技術文献】
【特許文献】
【０００４】
【特許文献１】米国特許出願公開第２０１５／０２８２９９９号明細書
【発明の概要】
【発明が解決しようとする課題】
【０００５】
本開示は、どのように吸収性物品が特定のユーザ要件に採用され、これによってユーザのために物品の性能を最適化することができるかという洞察に基づいている。
【課題を解決するための手段】
【０００６】
本発明は、請求項１に記載の吸収性物品および請求項１５に記載の方法に関する。
【０００７】
したがって、吸収性物品は、少なくともトップシート層およびバックシート層を含み、各層は、第１および第２の表面を有し、層の少なくとも１つは、第１の表面に印刷された皮膚有益剤および第２の表面に印刷されたインク組成物を含む組成物を有し、第１および第２の表面上の組成物はそれぞれ交換することができる。
【０００８】
皮膚有益剤はマイクロカプセルに封入することができる。
【０００９】
層の第１の表面は吸収性物品において層の皮膚対向側とすることができ、第２の表面は衣服対向側とすることができる。
【００１０】
層は皮膚有益剤のゾーンを含むことができる。層はインク組成物のゾーンを含むことができる。ゾーンは、少なくとも１ｍｍ２の領域を囲む境界を有することができる。
【００１１】
皮膚有益剤のゾーンは、物品の少なくとも横方向に非線形の境界を有することができる。ゾーンの境界は、層の横方向縁部から少なくとも１ｍｍで終了することができる。ゾーンの境界は、層の長手方向縁部から少なくとも１ｍｍで終了することができる。
【００１２】
インク組成物は、層の表面にアートワークを形成することができる。
【００１３】
皮膚有益剤およびインクは異なるパターンで印刷することができる。皮膚有益剤およびインクは同じパターンで印刷することができる。
【００１４】
第１の表面への皮膚有益剤の適用パターンおよび第２の表面へのインクの適用パターンは、互いに対して同期していなくてもよい。
【００１５】
第１の表面へのインク組成物の適用パターンおよび第２の表面への皮膚有益剤の適用パターンは、互いに対して同期させることができる。
【００１６】
この方法は、吸収性物品のための材料層であって、第１および第２の表面を有する、材料層を印刷することを伴い、ａ）輸送手段上で材料層を運搬するステップと、ｂ）材料層の第１の表面にフレキソプリンタによって皮膚有益剤を含む組成物を印刷するステップと、ｃ）材料層の第２の表面にフレキソプリンタによってインク組成物を印刷するステップと、を含み、ｄ）ステップｂ）およびｃ）における組成物の適用はそれぞれ交換することができる。
【００１７】
この方法は、ステップｃ）に先行するステップを含むことができ、材料層は、層を逆さまにするウェブターニングモジュールへ運搬される。乾燥ステップが方法ステップｂに続くことができる。
【００１８】
材料層は、中央圧胴に配置された第１および第２のフレキソプリンタ印刷ステーションによって印刷することができる。
【００１９】
皮膚有益剤のゾーンが層に印刷される。皮膚有益剤のゾーンは、物品の少なくとも横方向に非線形の境界を有することができる。
【００２０】
インク組成物によってアートワークを印刷することができる。
【００２１】
皮膚有益剤およびインクは異なるパターンで印刷することができる。皮膚有益剤およびインクは同じパターンで印刷することができる。
【００２２】
第１の表面へのインクの適用パターンおよび第２の表面への皮膚有益剤の適用パターンは、互いに関して同期していてもいなくてもよい。
【００２３】
材料層は、トップシート材料層、またはトップシートとコア層との間に配置された捕捉材料層とすることができる。
【図面の簡単な説明】
【００２４】
【図１Ａ】失禁用パッドの上面図である。
【図１Ｂ】図１Ａにおけるパッドの断面図である。
【図２】その第１の表面に皮膚有益剤を有するパッドのトップシートの上面図である。
【図３】その第２の表面にインクプリントを有するパッドのトップシートの上面図である。
【発明を実施するための形態】
【００２５】
本明細書の吸収性物品は、サニタリーナプキン、パンティライナー、失禁用パッド、失禁用おむつ、ベルト付きおむつ、または開放または閉鎖型の乳児用おむつとすることができる。
【００２６】
吸収性物品の層の少なくとも１つは、第１の表面に印刷された皮膚有益剤および第２の表面に印刷されたインク組成物を含む組成物を有し、第１および第２の表面上の組成物はそれぞれ交換することができる。皮膚有益剤はマイクロカプセルに封入することができる。皮膚有益剤はゾーンに適用することができる。インク組成物はゾーンに適用することができる。第１の表面は、ユーザが皮膚有益剤と密接に接触することを可能にする皮膚対向表面とすることができる。第２の表面は、インクを含み、ユーザの皮膚からさらに離れて配置される衣服対向表面とすることができる。
【００２７】
ゾーンは、すべての製品で同じとすることができ、したがって物品の形状に同期することができる領域である。ゾーンはしたがって、任意のパターンにおける連続したストリング、シートまたはラインから区別することができる。ゾーンは、皮膚有益剤が印刷を通して正確に配置されて製品上の添加剤の最適な性能を与える製品上の機能的ゾーン、すなわちたとえば製品の最も有益な部分において物質が最も効果的になる場所とすることができる。
【００２８】
皮膚有益剤のゾーンは、層の縁部領域内で開始および終了する境界とは離散させることができる。ゾーンの境界は、層の横方向縁部から少なくとも１ｍｍで終了することができる。ゾーンの境界は、層の長手方向縁部から少なくとも１ｍｍで終了することができる。
【００２９】
１つ、２つまたは複数のゾーンがあり得る。第１および第２のゾーンは、少なくとも部分的に重なっていてもよい。第１のゾーンは、第２のゾーン内にマイクロパターンを形成することができる。
【００３０】
ゾーンは、少なくとも１ｍｍ２、または少なくとも１０ｍｍ２、または少なくとも５０ｍｍ２の領域を囲む境界を有することができる。
【００３１】
皮膚有益剤は、物品の層の表面積の１〜１００%に、たとえば１〜９０%、たとえば１%より多く９０%より少なく、または１%より多く８０%より少なく適用することができる。
【００３２】
皮膚有益剤のゾーンは、丸形状を有することができる。ゾーンの丸形状は、円形状、楕円形状、長方形状、および角が丸い正方形状を含むことができる。少なくとも第１のゾーンは、物品の股部にその中心点を有することができる。
【００３３】
マイクロカプセルのサイズは、少なくとも１μｍ、または少なくとも３μｍ、または少なくとも１０μｍとすることができ、１００μｍ未満、または７０μｍ未満、または３０μｍ未満とすることができる。マイクロカプセルのサイズは、１〜１００μｍ、または１〜７０μｍ、または１０〜５０μｍとすることができる。
【００３４】
層の表面上のマイクロカプセルの濃度は、少なくとも０.０１ｇ／ｍ２、または少なくとも０.０１ｇ／ｍ２または少なくとも０.１ｇ／ｍ２または少なくとも０.５ｇ／ｍ２および１７ｇ／ｍ２未満、または１０ｇ／ｍ２未満または５ｇ／ｍ２未満とすることができる。層の表面上のマイクロカプセルの濃度は、０.０１〜１７ｇ／ｍ２、または０.０１〜１０ｇ／ｍ２または０.０１〜５ｇ／ｍ２とすることができる。
【００３５】
インク組成物によってアートワークを印刷することができる。インク組成物は水性とすることができ、少なくとも結合剤を含む。インク組成物は、当業者に知られている標準的な製剤とすることができる。インク組成物は、着色された顔料または染料を含む、または無色とすることができる。インクはまた、溶媒、共溶媒および加工助剤のような当業者によく知られている典型的な印刷添加剤を含むことができる。溶媒はとりわけ、アルコール、エステル、アルデヒドおよび水を含むことができる。結合剤は、スチレン、アクリレート、アセテート、アルキド、ポリウレタン、ニトロセルロースまたは他のセルロース誘導体、ポリグリコール、ポリビニルブチレート、ポリビニルアルコール、ポリビニルピロリドンおよびこれらの誘導体または混合物に基づくポリマー、樹脂、乳剤および混合物とすることができるが、これらに限定されない。分散剤、界面活性剤、湿潤助剤、消泡剤、泡止め剤、ワックス、シリコーン、粘度調整剤、pH調節剤、滑り止め剤および防腐剤のような成分も、カプセル化された有益添加剤の１つまたは複数と共にインク配合物に存在することができる。インク組成物における結合剤により確実に、インクが硬化するとともに、マイクロカプセルを含むインクが材料上の所定の位置に維持される。
【００３６】
皮膚有益剤は、市販のローションとすることができ、またはアーモンド油、アルガン油、ゴマ種子油、ホホバ油、ブドウ種子油、シアバター、オリーブ油、ココナッツ油、アボカド油、リモネン、リナロール、ゲラニオール、シトラル、クマリン、ハイビスカス、真正ラベンダー（Lavendula angustifolia）、カレンデュラ、カモミール、ペパーミント、サンダルウッド、ピーチ、マンゴー、アプリコット、シーバックソーン、コーヒー、バニラ、チョコレート、メントール、キシリトールから選択することができる。有益剤はまた、カルバミド、グリセリン、ジメチコン、トコフェリル（ビタミンE）、アスコルビン酸（ビタミンC）、アラントイン、チモール、サリチル酸塩から選択することができる。皮膚有益剤はマイクロカプセルに封入することができる。
【００３７】
皮膚有益剤は相変化材料とすることができ、これはマイクロカプセルに封入することができる。マイクロカプセルのためのＰＣＭ材料は、非揮発性有機温度調節剤、たとえばパラフィンワックス混合物またはポリマー、たとえばポリエチレングリコール、脂肪酸またはこれらのエステル誘導体（たとえばカプリル酸、カプリン酸、ラウリン酸およびトリデシル酸およびこれらのパルミチン酸、ミリスチン酸またはステアリン酸との共晶混合物）、ならびにポリアルコール、その誘導体およびポリエチレンとすることができ、またはこれらは無機物、たとえば塩水和物、たとえば水和カルシウムおよびマグネシウム塩化物または水和炭酸塩とすることができる。人間のための快適な温度間隔における身体着用用途またはエネルギー貯蔵用途に適したマイクロカプセル化ＰＣＭの商業生産者の例は、Devan Cheｍicals（ベルギー）、Microtek Laboratories（米国）、Cliｍator（スウェーデン）およびMikroCaps（スロベニア）である。
【００３８】
皮膚有益剤は、吸収性物品に印刷することによって適用される。印刷とは本明細書では、基板への流体の正確な適用を意味する。正確とは、噴霧、被覆または押し出し技術を用いるときのような制御が不十分な方法ではなく、基板上の指定されたゾーンに媒体が配置されることを意味する。印刷はフレキソプリントの形態の接触タイプのものであり、インラインで適用して同期させることができ、層に正確に配置することが可能になる。
【００３９】
インライン同期印刷のステップは、吸収性物品を製造するプロセスにおけるステップとして組み込むことができ、または材料層は、製品の組み立て前にインライン同期印刷することができる。
【００４０】
吸収性物品のための材料層であって、第１および第２の表面を有する、材料層を印刷するための方法は、
ａ）輸送手段上で材料層を運搬するステップと、
ｂ）材料層の第１の表面に、フレキソプリンタによって、皮膚有益剤を含む組成物を印刷するステップと、
ｃ）材料層の第２の表面にフレキソプリンタによって、インク組成物を印刷するステップと、
を含み、ステップｂ）およびｃ）における組成物の適用はそれぞれ交換することができる。
【００４１】
材料層をウェブターニングモジュールへ運搬するステップであって、材料が逆さまにされる、ステップが、方法ステップｃ）に先行することができる。ウェブターニングモジュールは、材料層の１８０度の回転を実行して、次の印刷ステップのために層を準備することができる。
【００４２】
材料層は、中央圧胴に配置された第１および第２のフレキソプリンタ印刷ステーションによって印刷することができる。フレキソプリンタ印刷ステーションは、アニロックスロールと、薄いポリマークリシェを備えたレーザ刻印スリーブまたは取り付けスリーブを備えたロールと、を含むことができる。
【００４３】
皮膚有益剤およびインクを吸収性物品に適用した後、これはほぼ瞬時に乾燥することになる。しかしながら、表面に熱風を吹き付けるような乾燥ステップを追加することができる。
【００４４】
輸送手段上の材料層の張力は、許容可能な印刷層を得るよう、０.５〜５０Ｎ、たとえば０.５〜３０Ｎ、たとえば０.５〜２０Ｎとすることができる。
【００４５】
皮膚有益剤およびインク組成物は、同じまたは異なるパターンで印刷することができる。第１の表面への皮膚有益剤の適用パターンおよび第２の表面へのインクの適用パターンは、互いに関して同期していてもいなくてもよい。
【００４６】
皮膚有益剤の組成物は、所望の通り、任意の所望のパターンで、選択された領域に適用することができる。本方法により、非常に正確なゾーンを形成することが可能になる。
【００４７】
吸収性物品に配置されたとき、トップシートは、身体対向表面および衣服対向表面を有する。皮膚有益剤は、皮膚対向表面に適用することができる。皮膚対向表面に薬剤を適用することによって、ユーザは薬剤への直接アクセスを得る。薬剤はまた、物品の中間層に適用することができる。皮膚有益剤の場所に応じて、さまざまな有利な機能的効果を得ることができる。インクは、トップシートの衣服対向側、すなわち皮膚接触を最小化する皮膚から最も離れた表面に印刷することができる。
【００４８】
吸収性物品は、少なくともトップシート層およびバックシート層と、任意選択で、トップシート層とバックシート層との間に配置された捕捉層および吸収性層と、を含む。
【００４９】
吸収性物品の各層は、衣服対向表面および身体対向表面を有し、皮膚有益剤は、上記表面のいずれかに適用することができる。皮膚有益剤は、トップシートの下に配置される、捕捉層のような中間層に加えることができる。
【００５０】
吸収性物品は、不織布、フィルムまたはこれらのラミネートまたは発泡体の身体対向トップシートと、液体不浸透性ポリマーフィルム材料またはフィルムおよび不織材料のラミネートのバックシートと、パルプおよび／または超吸収性材料および／または繊維状ウェブを含む吸収性層と、を含むことができる。捕捉層は、不織ハイロフト材料とすることができる。
【００５１】
バックシート材料は、通気性または非通気性のフィルムまたは不織布およびフィルムラミネートとすることができる。バックシートは、使用中はユーザから離れた方を向き、吸収性物品の身体対向トップシート層に対向している。パッドの形態の吸収性物品の場合、バックシートの衣服対向側に固定手段を適用することができ、これは剥離紙またはシングルラップによって被覆することができる。
【００５２】
吸収性物品は、吸収性材料のコアを含むことができる。吸収性コアは、第１および第２の吸収性層を含むことができる。吸収性層は均質構造とすることができ、またはそれ自体、同じまたは異なる材料の吸収性ラミネートのような層状構造とすることができる。吸収性層は均一な厚さを有することができ、または層の異なる部分において厚さを変化させることができる。同様に、目付および組成は、吸収性層内で変化させることができる。例として、吸収性層は、吸収性および／または非吸収性繊維と超吸収性材料との混合物を含むことができ、超吸収性材料の繊維に対する比は、層において変化させることができる。第１および第２の吸収性層は、端部が広く股部における部分が狭い砂時計形状、または長方形状のような、任意の適切な形状を有することができる。
【００５３】
吸収性コアは、セルロースフラフパルプ、発泡体、繊維詰めなどの１つまたは複数の層のような、当該技術において知られているような任意の適切な吸収性または流体取り込み材料で作製することができる。吸収性コアは、ヒドロゲルを形成して大量の流体を吸収および保持する能力を有する材料である、一般に超吸収剤として知られている高吸収性ポリマー材料の繊維または粒子を含むことができる。超吸収剤は、セルロースフラフパルプと混合することができ、および／または吸収性コアにおけるポケットまたは層に配置することができる。繊維はパルプ繊維とすることができ、超吸収性材料はポリアクリレートベースの粒子とすることができる。吸収性コアは、吸収性コアの特性を改善するための成分をさらに組み込むことができる。このような成分のいくつかの例は、当該技術において知られているように、バインダ繊維、流体分散材料、湿潤インジケータなどである。
【００５４】
皮膚有益剤を含むマイクロカプセルの活性化は、接触時の機械的および／または熱活性化によって実行することができる。すべてのマイクロカプセルが同時に活性化されるわけではなく、いくつかは材料においてさらに下に埋もれている可能性があるため、物品の使用中にゆっくりと、継続的かつ有益な活性化が起こることになる。したがって長期的な効果を達成することができる。
【００５５】
印刷による適用により、添加剤がたとえばトップシート上のスピン仕上げの構成要素として、不織布サプライヤによって一般に用いられる、いわゆるカクテルで適用されるときと比較して、物品上の選択された領域に繊細な印刷ゾーンを正確に配置することが可能になる。利点をさらに増加させるため、印刷を任意の製品上の印刷の正確なインライン位置決め（同期）と組み合わせることができる。これにより、プリントを正確なゾーンまたは領域、すなわち製品の特定の機能的ゾーンに配置することが可能になる。このように、薬剤は印刷されたゾーンにのみ適用されることになり、したがって別仕立てのゾーンまたは領域の量および可能性を少なくすることが可能になる。
【００５６】
製品の異なる層に皮膚有益剤を含むプリントを適用することができる。トップシート、中間層、コアまたは捕捉層、またはバックシート上、接着部分、ラップまたは剥離紙に印刷することができる。同じまたは異なる印刷添加剤を有する、１より多くの印刷領域が、製品の同じ層および製品における異なる層で可能である。印刷された有益ゾーンは、物品の吸収領域内または吸収領域の外側に配置することができる。
【００５７】
次に図面を参照しながら、例として本開示を説明する。
【００５８】
図１Ａおよび図１Ｂに示す吸収性物品２００は、パッドの形態の尿失禁プロテクタである。パッドは、着用されたときに着用者の身体の方に面するように意図されたパッドの側から見ている。パッドは、液体透過性トップシート２４と、液体不透過性バックシート８と、トップシート２４とバックシート８との間に封入された吸収性コア９と、トップシート２４と吸収性コア９との間に配置された捕捉および分配層１と、を含む。
【００５９】
パッドのトップシート２４およびバックシート８は、吸収性コア９の全周に沿って吸収性コア９の外側に共に横方向に延在し、吸収性コア９の周囲の縁部接合部１０において互いに接続されている。トップシート２４は、目的に適した、すなわち柔らかくて液体浸透性である任意の材料を含む。
【００６０】
バックシート８は流体不透過性である。しかしながら、特に比較的少量の尿が取り込まれることが予想される場合において、流体をはじくのみのバックシート材料を用いることができる。さらに、バックシート８は、不織布のような布材料の外側、衣服対向表面を有することができる。
【００６１】
吸収性コア９は、高吸収性ポリマー材料の繊維または粒子と組み合わせられたセルロースフラフパルプの１つまたは複数の層のような、当該技術において知られているような任意の適切な吸収性または流体取り込み材料で作製することができる。
【００６２】
図１Ａにおけるパッドは、すべての方向に完全に伸ばしたとき、細長い、略長方形状を有する。砂時計形状、台形状、三角形状、楕円形状など、任意の適切な形状を吸収性製品に用いることができる。製品の形状は、製品を通る横方向中心線を中心に対称とすることができ、または異なる形状および／または異なるサイズを有する縁部を備えて非対称とすることができる。パッドは、吸収性製品を通る長手方向中心線とほぼ同じ方向に延在する２つの長手方向側縁１１、１２を有する。前端および後端の縁部１３、１４が通常、吸収性製品の端部で長手方向中心線に対して横方向に延在する。後端縁１４は、吸収性物品の使用中、後方へ配向されるように意図されており、前端縁１３は、着用者の腹部に向かって前方を向くように意図されている。パッドは、長手方向前部１５、長手方向後部１７、および前部および後部１５、１７の中間に配置される股部１６を有する。股部１６は、製品の使用中、着用者の股に対して配置され、パッドに到達する体液のための主な捕捉領域を構成するように意図された部分である。パッドは、一対のパンツのような支持パンツの内側に吸収性製品を固定するための固定手段をさらに含むことができる。
【００６３】
吸収性コア９の横方向外側で側縁に沿って弾性要素１８、１９を配置することができる。弾性要素１８、１９は、弾性材料のバンドとすることができる。弾性要素１８、１９は、吸収性製品の任意選択の構成要素であり、省略することができる。
【００６４】
図１Ａにおける捕捉および分配材料１は、吸収性コア９の上方に位置し、トップシート２４の下でこれと直接接触しており、ＳＭＳ材料のような不織高ロフト材料または有孔材料とすることができる。
【００６５】
図１Ａにおける吸収性コア９は、第１の吸収性層２０および第２の吸収性層２１を有する。第２の吸収性層２１は、第１の吸収性層２０の下方に配置されている。第１の吸収性層２０は、第２の吸収性層２１より小さい。第２の吸収性層２１は、第１の吸収性層２０より吸収製品においてさらに前方および後方に延在する。しかしながら、吸収性コアはまた、１つの単一層のみを含むことができ、または１つまたは複数のさらなる吸収性層を含むことができる。異なる層のサイズも変化させることができ、図１Ａおよび図１Ｂに記載された吸収性コア９は、吸収性コアの単なる一例である。
【００６６】
図１Ｂにおいて、図１Ａの吸収性パッドの断面図が、線II−IIに沿って示されている。パッドは、液体透過性トップシート２４と、液体不透過性バックシート８と、トップシート２４とバックシート８との間に封入された吸収性コア９と、を有し、捕捉および分配材料１が、トップシート２４と吸収性コア９との間に配置されている。
【００６７】
［実施例１］
図２における領域２５に従ってフレキソグラフィックプリンタで、女性用パッドのためのトップシート材料にゾーンを印刷し、１ａ）で示した１つのセットに、長手方向における中心線の左および右手側のトップシートの身体対向表面にマイクロカプセル化されたＰＣＭを印刷した。ゾーンの外側は製品の外側輪郭に、また肌に対して良好な快適さを生み出すように下着の周りに折り畳まれる部分にも従っている。パッドの最も外側の領域の３ｍｍ幅の小さな部分はＰＣＭによって被覆しなかった。ＰＣＭ材料は、Microtek laboratoriesのMPCM32湿潤ケーク（温度間隔３０〜３５℃）で、濃度は１.８ｇ／ｍ２とした。トップシート材料の衣服対向側は、インク印刷されたアートワーク２６で印刷し、長手方向における中心線の左および右手側のゾーン２６は、身体対向表面上のＰＣＭゾーン２５と同期させた。用いた水性インクは、ドイツ、Kapp-ChemieのKappaflex purple 98-2086であった。
【００６８】
１ｂ）で示したトップシート材料の第２のセットを、Salvona Technologies USの海藻およびビタミンＡ、ＣおよびＥを備えたマイクロカプセル化添加剤Salpshere #8953で、濃度０.１５ｇ／ｍ２で、１ａ）についての上記と同じトップシートの身体対向表面上のパターンで印刷した。トップシートの衣服対向側は、１ａ）における上記と同じインクおよびパターンを用いてインク印刷されたアートワークで印刷した。
【符号の説明】
【００６９】
２００  吸収性物品
２４  トップシート
８  バックシート
９  吸収性コア
１  捕捉および分配層
１０  縁部接合部
１１  長手方向側縁
１２  長手方向側縁
１３  前端縁
１４  後端縁
１５  長手方向前部
１６  股部
１７  長手方向後部
１８  弾性要素
１９  弾性要素
２０  第１の吸収性層
２１  第２の吸収性層
２５  ＰＣＭゾーン
２６  アートワーク
【図１Ａ】
2021527494.tif 000003
【図１Ｂ】
2021527494.tif 000004
【図２】
2021527494.tif 000005
【図３】
2021527494.tif 000006
【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
少なくともトップシート層およびバックシート層を含み、各層が、第１および第２の表面を有し、前記トップシート層およびバックシート層の少なくとも１つが、第１の表面上に印刷された皮膚有益剤と第２の表面上に印刷されたインク組成物とを含んでなる組成物を有する吸収性物品であって、前記第１の表面上および前記第２の表面上の組成物がそれぞれ交換され得ることを特徴とする、吸収性物品。
【請求項２】
前記皮膚有益剤がマイクロカプセルに封入されていることを特徴とする、請求項１に記載の吸収性物品。
【請求項３】
ゾーンの境界が、前記層の横方向縁部から少なくとも１ｍｍで終了していることを特徴とする、請求項１または２に記載の吸収性物品。
【請求項４】
ゾーンの境界が、前記層の長手方向縁部から少なくとも１ｍｍで終了していることを特徴とする、請求項１から３のいずれか一項に記載の吸収性物品。
【請求項５】
前記皮膚有益剤および前記インク組成物が、異なるパターンで印刷されていることを特徴とする、請求項１から４のいずれか一項に記載の吸収性物品。
【請求項６】
前記皮膚有益剤および前記インク組成物が、同じパターンで印刷されていることを特徴とする、請求項１から５のいずれか一項に記載の吸収性物品。
【請求項７】
吸収性物品のための材料層であって、第１および第２の表面を有する材料層を印刷するための方法であって、
ａ）輸送手段上で材料層を運搬するステップと、
ｂ）前記材料層の第１の表面に、フレキソプリンタによって、皮膚有益剤を含む組成物を印刷するステップと、
ｃ）前記材料層の第２の表面に、フレキソプリンタによって、インク組成物を印刷するステップと、
を含んでなり、
ステップｂ）およびステップｃ）における組成物の適用をそれぞれ交換することができ、前記材料層が、中央圧胴に配置された第１および第２のフレキソプリンタ印刷ステーションによって印刷されることを特徴とする、方法。
【請求項８】
前記材料層をウェブターニングモジュールへ運搬するステップであって、材料が逆さまにされる、ステップが、ステップｃ）に先行していることを特徴とする、請求項７に記載の方法。
【請求項９】
乾燥ステップがステップｂ）に続いていることを特徴とする、請求項７または８に記載の方法。
【請求項１０】
皮膚有益剤のゾーンが層に印刷されることを特徴とする、請求項７から９のいずれか一項に記載の方法。
【請求項１１】
インク組成物のゾーンが層に印刷されることを特徴とする、請求項７から１０のいずれか一項に記載の方法。
【請求項１２】
前記皮膚有益剤がマイクロカプセルに封入されていることを特徴とする、請求項７から１１のいずれか一項に記載の方法。
【請求項１３】
前記皮膚有益剤および前記インク組成物が同じパターンで印刷されることを特徴とする、請求項７から１２のいずれか一項に記載の方法。
【請求項１４】
前記第１の表面への前記皮膚有益剤の適用パターンと、前記第２の表面への前記インク組成物の適用パターンとは、互いに対して同期していないことを特徴とする、請求項７から１３のいずれか一項に記載の方法。
【請求項１５】
前記第１の表面への前記皮膚有益剤の適用パターンと、前記第２の表面への前記インク組成物の適用パターンとは、互いに対して同期していることを特徴とする、請求項７から１４のいずれか一項に記載の方法。
【国際調査報告】
2021527494.tif 000007
2021527494.tif 000008
2021527494.tif 000009
2021527494.tif 000010
2021527494.tif 000011